(57)【要約】【課題】  少なくとも１側面が遮蔽されている上吹きタイプの空気調和機用室外機に、逆流漏れ流れの制御機構を有する送風機を採用することにより、室外機の静音化、所要動力の低減および干渉音の低減を図る。【解決手段】  少なくとも１側面が遮蔽されている本体１の上部に、軸流羽根車３を備えた送風装置２を上吹出姿勢で配設してなる空気調和機用室外機において、前記送風装置２を、前記軸流羽根車３の外周面側の所定位置に配置されたベルマウス１０の吸込側に位置して該ベルマウス１０に対向し且つ径方向に所定長さを有する鍔部８ａを備えたシュラウド８を設けて構成するとともに、前記シュラウド８の鍔部８ａを包設して該鍔部８ａと前記ベルマウス１０との間の隙間から漏れ出る逆流漏れ流れＥを前記軸流羽根車３の吸込側へ誘導するガイド部１２を形成して、シュラウド鍔部８ａとベルマウス１０との間の隙間から漏れ出る逆流漏れ流れＥがガイド部１２によって軸流羽根車３の吸込側へ誘導されるようにしている。【選択図】        図１
2008232536.tif 000002
【特許請求の範囲】
【請求項１】
少なくとも１側面（１ａ）が遮蔽されている本体（１）の上部に、軸流羽根車（３）を備えた送風装置（２）を上吹出姿勢で配設してなる空気調和機用室外機であって、前記送風装置（２）を、前記軸流羽根車（３）の外周面側の所定位置に配置されたベルマウス（１０）の吸込側に位置して該ベルマウス（１０）に対向し且つ径方向に所定長さを有する鍔部（８ａ）を備えたシュラウド（８）を設けて構成するとともに、前記シュラウド（８）の鍔部（８ａ）を包設して該鍔部（８ａ）と前記ベルマウス（１０）との間の隙間から漏れ出る逆流漏れ流れ（Ｅ）を前記軸流羽根車（３）の吸込側へ誘導するガイド部（１２）を形成したことを特徴とする空気調和機用室外機。
【請求項２】
前記ベルマウス（１０）の吹出側には、吹出側に延出する円筒部（１０ｃ）を形成したことを特徴とする請求項１記載の空気調和機用室外機。
【請求項３】
前記円筒部（１０ｃ）を、吹出側に向かって段階的に径が拡大する拡大円筒部（１０ｇ）としたことを特徴とする請求項２記載の空気調和機用室外機。
【請求項４】
前記ベルマウス（１０）の吹出側には、水平方向に延出する水平面（１０ｅ）を形成したことを特徴とする請求項１記載の空気調和機用室外機。
【請求項５】
前記ベルマウス（１０）の吹出側には、斜め上向きに延出する円錐面（１０ｆ）を形成したことを特徴とする請求項１記載の空気調和機用室外機。
【請求項６】
前記ベルマウス（１０）と前記鍔部（８ａ）との間には、空洞部（１４）を形成したことを特徴とする請求項１、２、３、４および５のいずれか一項記載の空気調和機用室外機。
【請求項７】
前記空洞部（１４）を、前記鍔部（８ａ）の背面と対向する前記ベルマウス（１０）の平板部（１０ａ）を窪ませて形成したことを特徴とする請求項６記載の空気調和機用室外機。
【発明の詳細な説明】
【技術分野】
【０００１】
本願発明は、空気調和機用室外機に関し、さらに詳しくは少なくとも１側面が遮蔽されている本体の上部には、軸流羽根車を備えた送風装置を上吹出姿勢で配設してなる空気調和機用室外機に関するものである。
【背景技術】
【０００２】
従来から、シュラウドレス（即ち、シュラウドを保有しない）軸流送風機を搭載した上吹出タイプの空気調和機用室外機のコンパクト化と風量アップに対する取り組みがなされてきている（特許文献１参照）。また、少なくとも１側面が遮蔽された上吹出タイプの空気調和機用室外機においては、吸込流れが偏流し、干渉音を発生し易いので、その対策がなされてきている（特許文献２および３参照）。
【０００３】
【特許文献１】特開２００４−１５６８７２号公報
【特許文献２】特開２００６−３８２８７号公報
【特許文献３】特開２００６−３８３１２号公報
【発明の開示】
【発明が解決しようとする課題】
【０００４】
ところで、本願発明者は、シュラウド付軸流送風機において、軸流羽根車の吸込側と吹出側とを仕切る円筒形状のベルマウスに、該ベルマウスとシュラウドとの間を逆流する逆流漏れ流れを制御する機構を付与した送風機が、ファン性能を改善し得るとともに、吸込流れを整流安定化し、干渉音発生を抑制する作用を発揮することに着目し本願発明をするに至ったものである。
【０００５】
本願発明は、上記の点に鑑みてなされたもので、少なくとも１側面が遮蔽されている上吹きタイプの空気調和機用室外機に、逆流漏れ流れの制御機構を有する送風機を採用することにより、室外機の静音化、所要動力の低減および干渉音の低減を図ることを目的としている。
【課題を解決するための手段】
【０００６】
本願発明では、上記課題を解決するための第１の手段として、少なくとも１側面１ａが遮蔽されている本体１の上部に、軸流羽根車３を備えた送風装置２を上吹出姿勢で配設してなる空気調和機用室外機において、前記送風装置２を、前記軸流羽根車３の外周面側の所定位置に配置されたベルマウス１０の吸込側に位置して該ベルマウス１０に対向し且つ径方向に所定長さを有する鍔部８ａを備えたシュラウド８を設けて構成するとともに、前記シュラウド８の鍔部８ａを包設して該鍔部８ａと前記ベルマウス１０との間の隙間から漏れ出る逆流漏れ流れＥを前記軸流羽根車３の吸込側へ誘導するガイド部１２を形成している。
【０００７】
上記のように構成したことにより、シュラウド鍔部８ａとベルマウス１０との間の隙間から漏れ出る逆流漏れ流れＥがガイド部１２によって軸流羽根車３の吸込側へ誘導されることとなり、逆流漏れ流れＥの持つエネルギーが外周方向に拡散されてしまうことがなくなる。従って、この逆流漏れ流れＥの持つ動圧を有効に利用することが可能となり、ファン効率が大幅に向上する。また、少なくとも１側面１ａが遮蔽されている本体１の上部に、軸流羽根車３を備えた送風装置２を配設した場合、吸込流れが偏流し、干渉音を発生し易いが、還流した逆流漏れ流れＥがシュラウド８内壁に沿って吹き出されるところから、より大きな風量域でも主流Ｗがシュラウド８内周に沿って流れることとなり、より大きな静圧上昇を実現し、更に大きな効率の改善を図ることができるとともに、吸込流れの整流安定化および干渉音発生の抑制をも図ることができる。
【０００８】
本願発明では、さらに、上記課題を解決するための第２の手段として、上記第１の手段を備えた空気調和機用室外機において、前記ベルマウス１０の吹出側に、吹出側に延出する円筒部１０ｃを形成することもでき、そのように構成した場合、吹出流れを整流安定化させることができ、ファン性能の改善を図ることができる。
【０００９】
本願発明では、さらに、上記課題を解決するための第３の手段として、上記第２の手段を備えた空気調和機用室外機において、前記円筒部１０ｃを、吹出側に向かって段階的に径が拡大する拡大円筒部１０ｇとすることもでき、そのように構成した場合、吹出流れをより一層整流安定化させることができるとともに、ディフューザ効果も期待でき、ファン性能のより一層の改善を図ることができる。
【００１０】
本願発明では、さらに、上記課題を解決するための第４の手段として、上記第１の手段を備えた空気調和機用室外機において、前記ベルマウス１０の吹出側に、水平方向に延出する水平面１０ｅを形成することもでき、そのように構成した場合、吹出流れの整流安定化に寄与することとなり、ファン性能の改善を図ることができる。
【００１１】
本願発明では、さらに、上記課題を解決するための第５の手段として、上記第１の手段を備えた空気調和機用室外機において、前記ベルマウス１０の吹出側に、斜め上向きに延出する円錐面１０ｆを形成することもでき、そのように構成した場合、吹出流れの整流安定化に寄与することとなり、ファン性能の改善を図ることができる。
【００１２】
本願発明では、さらに、上記課題を解決するための第６の手段として、上記第１、第２、第３、第４又は第５の手段を備えた空気調和機用室外機において、前記ベルマウス１０と前記鍔部８ａとの間に、空洞部１４を形成することもでき、そのように構成した場合、ベルマウス１０と鍔部８ａとの間の空洞部１４が、円板摩擦ファン作用を低減することにより、円板摩擦ファン動力を低減するとともに、逆流漏れ流れＥを加速する作用を低減することとなる。従って、ファン動力の低減を図り得るとともに、逆流漏れ流れＥの流量の低減を図り得ることとなり、ファン効率の向上と風量アップによる比騒音レベルの低減とを図り得る。
【００１３】
本願発明では、さらに、上記課題を解決するための第７の手段として、上記第６の手段を備えた空気調和機用室外機において、前記空洞部１４を、前記鍔部８ａの背面と対向する前記ベルマウス１０の平板部１０ａを窪ませて形成することもでき、そのように構成した場合、空洞部１４が固定部材であるベルマウス１０側に形成されることとなるところから、空洞部１４が変動することがないので、空洞部１４を形成することによる作用効果（即ち、円板摩擦ファン作用低減による円板摩擦ファン動力の低減および逆流漏れ流れＥの加速作用を抑制するという作用効果）を確実ならしめることができる。
【発明の効果】
【００１４】
本願発明の第１の手段によれば、少なくとも１側面１ａが遮蔽されている本体１の上部に、軸流羽根車３を備えた送風装置２を上吹出姿勢で配設してなる空気調和機用室外機において、前記送風装置２を、前記軸流羽根車３の外周面側の所定位置に配置されたベルマウス１０の吸込側に位置して該ベルマウス１０に対向し且つ径方向に所定長さを有する鍔部８ａを備えたシュラウド８を設けて構成するとともに、前記シュラウド８の鍔部８ａを包設して該鍔部８ａと前記ベルマウス１０との間の隙間から漏れ出る逆流漏れ流れＥを前記軸流羽根車３の吸込側へ誘導するガイド部１２を形成して、シュラウド鍔部８ａとベルマウス１０との間の隙間から漏れ出る逆流漏れ流れＥがガイド部１２によって軸流羽根車３の吸込側へ誘導されるようにしたので、逆流漏れ流れＥの持つエネルギーが外周方向に拡散されてしまうことがなくなり、この逆流漏れ流れＥの持つ動圧を有効に利用することができ、ファン効率が大幅に向上するという効果がある。また、少なくとも１側面１ａが遮蔽されている本体１の上部に、軸流羽根車３を備えた送風装置２を配設した場合、吸込流れが偏流し、干渉音を発生し易いが、還流した逆流漏れ流れＥがシュラウド８内壁に沿って吹き出されるところから、より大きな風量域でも主流Ｗがシュラウド８内周に沿って流れることとなり、より大きな静圧上昇を実現し、更に大きな効率の改善を図ることができるとともに、吸込流れの整流安定化および干渉音発生の抑制をも図ることができるという効果もある。
【００１５】
本願発明の第２の手段におけるように、上記第１の手段を備えた空気調和機用室外機において、前記ベルマウス１０の吹出側に、吹出側に延出する円筒部１０ｃを形成することもでき、そのように構成した場合、吹出流れを整流安定化させることができ、ファン性能の改善を図ることができる。
【００１６】
本願発明の第３の手段におけるように、上記第２の手段を備えた空気調和機用室外機において、前記円筒部１０ｃを、吹出側に向かって段階的に径が拡大する拡大円筒部１０ｇとすることもでき、そのように構成した場合、吹出流れをより一層整流安定化させることができるとともに、ディフューザ効果も期待でき、ファン性能のより一層の改善を図ることができる。
【００１７】
本願発明の第４の手段におけるように、上記第１の手段を備えた空気調和機用室外機において、前記ベルマウス１０の吹出側に、水平方向に延出する水平面１０ｅを形成することもでき、そのように構成した場合、吹出流れの整流安定化に寄与することとなり、ファン性能の改善を図ることができる。
【００１８】
本願発明の第５の手段におけるように、上記第１の手段を備えた空気調和機用室外機において、前記ベルマウス１０の吹出側に、斜め上向きに延出する円錐面１０ｆを形成することもでき、そのように構成した場合、吹出流れの整流安定化に寄与することとなり、ファン性能の改善を図ることができる。
【００１９】
本願発明の第６の手段におけるように、上記第１、第２、第３、第４又は第５の手段を備えた空気調和機用室外機において、前記ベルマウス１０と前記鍔部８ａとの間に、空洞部１４を形成することもでき、そのように構成した場合、ベルマウス１０と鍔部８ａとの間の空洞部１４が、円板摩擦ファン作用を低減することにより、円板摩擦ファン動力を低減するとともに、逆流漏れ流れＥを加速する作用を低減することとなる。従って、ファン動力の低減を図り得るとともに、逆流漏れ流れＥの流量の低減を図り得ることとなり、ファン効率の向上と風量アップによる比騒音レベルの低減とを図り得る。
【００２０】
本願発明の第７の手段におけるように、上記第６の手段を備えた空気調和機用室外機において、前記空洞部１４を、前記鍔部８ａの背面と対向する前記ベルマウス１０の平板部１０ａを窪ませて形成することもでき、そのように構成した場合、空洞部１４が固定部材であるベルマウス１０側に形成されることとなるところから、空洞部１４が変動することがないので、空洞部１４を形成することによる作用効果（即ち、円板摩擦ファン作用低減による円板摩擦ファン動力の低減および逆流漏れ流れＥの加速作用を抑制するという作用効果）を確実ならしめることができる。
【発明を実施するための最良の形態】
【００２１】
以下、添付の図面を参照して、本願発明の幾つかの好適な実施の形態について説明する。
【００２２】
第１の実施の形態
図１ないし図３には、本願発明の第１の実施の形態にかかる空気調和機用室外機が示されている。
【００２３】
この空気調和機用室外機は、図１および図２に示すように、少なくとも１側面１ａが空気流通ができない板部材４で遮蔽されている断面矩形形状の本体１の上部に、軸流羽根車３を備えた送風装置２を上吹出姿勢で配設して構成されている。本体１の他の３側面１ｂ，１ｃ，１ｄには、空気の流通が可能な熱交換器５，５，５が配設されている。符号１１は送風装置２の吹出側に配設されたファンガードである。
【００２４】
前記送風装置２は、円筒形のハブ６、該ハブ６の周りに所定間隔で放射方向に延びて設けられた子午面形状が略扇形の複数枚の羽根７，７・・、該羽根７，７・・の外周に固定して設けられた筒状のシュラウド８よりなる軸流羽根車３を備えて構成されている。符号９は軸流羽根車３を回転駆動させるファンモータである。
【００２５】
前記軸流羽根車３の外周には、該軸流羽根車３の外周面側の所定位置に配置されたベルマウス１０の吸込側に位置して該ベルマウス１０に対向し且つ径方向に所定長さを有する鍔部８ａを備えたシュラウド８が設けられている。前記ベルマウス１０は、前記シュラウド鍔部８ａに対向する平板部１０ａと、該平板部１０ａの内周端から前記シュラウド８の本体部８ｂの吹出側端部に至る筒状部１０ｂとからなっており、本実施の形態の場合、該筒状部１０ｂの吹出側には、吹出側に延出する円筒部１０ｃが形成されている。このようにすると、吹出流れを整流安定化させることができ、ファン性能の改善を図ることができる。なお、シュラウド付軸流送風機の場合、シュラウド８が回転することによる大きな周速度をもつ翼端付近の流れを整流安定化しないとファン性能が大きく劣化する。
【００２６】
前記ベルマウス１０内には、前記軸流羽根車３におけるシュラウド８を含む羽根７，７・・の部分が、所定の隙間を保って回転可能に遊嵌する形で支持されている。
【００２７】
本実施の形態の場合、前記シュラウド８は、その筒状の本体部８ｂの空気吸込側前縁に前記ベルマウス１０の平板部１０ａの前側（即ち、吸込側）で半径方向外方に所定幅フランジ状に起立して略直角に曲成された鍔部８ａを備えており、該鍔部８ａの内周側アール面状の曲成部基部（吸込境界部分）が、例えば軸流羽根車３の羽根７，７・・の外周端部の翼弦幅の１／４〜３／４程度前縁側に寄った位置に位置するように、前記筒状の本体部８ｂ部分が前記羽根７，７・・の外周端部面に固定して設けられている。そして、前記フランジ状の鍔部８ａは、その背面側が前記ベルマウス１０の平板部１０ａに対して所定の隙間を保って対向するように配設されている。
【００２８】
前記シュラウド８の鍔部８ａがフランジ状に起立する羽根７，７・・の前記翼弦位置（１／４〜３／４）は、羽根７，７・・の外周端部（その前縁外周〜後縁側）において空気の吸込力がもっとも大きい領域である。従って、同部分にシュラウド８の吸込流ガイド作用を果たす半径方向にフランジ状に起立曲成した鍔部８ａがあると、軸流羽根車３の外周部において有効な吸気作用が生じ、可及的に送風性能が向上する。
【００２９】
また、その結果、羽根７，７・・の外周端および後縁部との干渉も生じにくくなり、有効に騒音が低減される。
【００３０】
一方、前記ベルマウス１０の開口縁部に所定の隙間を置いて対接する前記シュラウド鍔部８ａの半径方向の起立幅（換言すれば、重なり幅）は、例えば、前記軸流羽根車３の外径の０．０５倍から０．１５倍程度の大きさであることが好ましい。この幅が大きすぎると、摩擦摺動音が増加し、小さすぎると、逆流漏れ流れＥが鍔部８ａ側へ回り込み易くなり、干渉音が大きくなる。なお、図１中の矢印Ｗは、羽根車前方からの主たる吸込気流の流れを示している。
【００３１】
また、前記シュラウド８の鍔部８ａを包設して該鍔部８ａと前記ベルマウス１０との間の隙間から漏れ出る逆流漏れ流れＥを前記軸流羽根車３の吸込側へ誘導するガイド部１２が形成されている。本実施の形態の場合、前記ガイド部１２は、前記ベルマウス１０の平板部１０ａの外径端から吸込側に向かって前記シュラウド鍔部８ａの外周側に延設された延設部１０ｄと、前記熱交換器５，５，５の上板１３の外径端から逆Ｌ字状に一体形成され且つ前記ベルマウス１０の延設部１０ｄが当接固定される支持部１３ａとによって構成されている。
【００３２】
上記のように構成された空気調和機用室外機においては、次のような作用効果が得られる。
【００３３】
送風装置２の駆動により、本体１の３側面を構成する熱交換器５，５，５を通過した室外空気Ｗは、熱交換器５，５，５を流れる冷媒を冷却あるいは加熱した後、ファンガード１１から吹き出されるが、シュラウド鍔部８ａとベルマウス１０との間の隙間から漏れ出る逆流漏れ流れＥがガイド部１２によって軸流羽根車３の吸込側へ誘導されることとなり、逆流漏れ流れＥの持つエネルギーが外周方向に拡散されてしまうことがなくなる。従って、この逆流漏れ流れＥの持つ動圧を有効に利用することが可能となり、ファン効率が大幅に向上する。また、少なくとも１側面１ａが遮蔽されている本体１の上部に、軸流羽根車３を備えた送風装置２を配設した場合、吸込流れが偏流し、干渉音を発生し易いが、還流した逆流漏れ流れＥがシュラウド８内壁に沿って吹き出されるところから、より大きな風量域でも主流Ｗがシュラウド８内周に沿って流れることとなり、より大きな静圧上昇を実現し、更に大きな効率の改善を図ることができるとともに、吸込流れの整流安定化および干渉音発生の抑制をも図ることができる。
【００３４】
第２の実施の形態
図４および図５には、本願発明の第２の実施の形態にかかる空気調和機用室外機が示されている。
【００３５】
この場合、ベルマウス１０の吹出側には、水平方向に延出する水平面１０ｅが形成されている。このようにすると、吹出流れの整流安定化に寄与することとなり、ファン性能の改善を図ることができる。
【００３６】
その他の構成および作用効果は、第１の実施の形態におけると同様なので説明を省略する。
【００３７】
第３の実施の形態
図６および図７には、本願発明の第３の実施の形態にかかる空気調和機用室外機が示されている。
【００３８】
この場合、ベルマウス１０の吹出側には、斜め上向きに延出する円錐面１０ｆが形成されている。このようにすると、吹出流れの整流安定化に寄与することとなり、ファン性能の改善を図ることができる。
【００３９】
その他の構成および作用効果は、第１の実施の形態におけると同様なので説明を省略する。
【００４０】
第４の実施の形態
図８および図９には、本願発明の第４の実施の形態にかかる空気調和機用室外機が示されている。
【００４１】
この場合、ベルマウス１０における筒状部１０ｂの吹出側端部から水平方向に延出する水平面１０ｅが形成されており、筒状部１０ｂと延設部１０ｄと水平面１０ｅとに囲まれた空洞部１４が形成されている。つまり、シュラウド鍔部８ａとベルマウス１０との間には、ベルマウス１０側を窪ませて形成された空洞部１４が設けられているのである。このようにすると、ベルマウス１０と鍔部８ａとの間の空洞部１４が、円板摩擦ファン作用を低減することにより、円板摩擦ファン動力を低減するとともに、逆流漏れ流れＥを加速する作用を低減することとなる。従って、ファン動力の低減を図り得るとともに、逆流漏れ流れＥの流量の低減を図り得ることとなり、ファン効率の向上と風量アップによる比騒音レベルの低減とを図り得る。また、ベルマウス１０の吹出側に、水平方向に延出する水平面１０ｅが形成されているところから、吹出流れの整流安定化に寄与することとなり、ファン性能の改善を図ることができる。
【００４２】
その他の構成および作用効果は、第１の実施の形態におけると同様なので説明を省略する。
【００４３】
第５の実施の形態
図１０および図１１には、本願発明の第５の実施の形態にかかる空気調和機用室外機が示されている。
【００４４】
この場合、ベルマウス１０の筒状部１０ｂの吹出側端部には、吹出側に向かって段階的に径が拡大する拡大円筒部１０ｇが一体に形成されている。このようにすると、吹出流れをより一層整流安定化させることができるとともに、ディフューザ効果も期待でき、ファン性能のより一層の改善を図ることができる。ここで、ディフューザ効果とは、シュラウド８が回転することによる大きな周速度をもつ翼端付近の流れ（大きな動圧をもつ）が外向きから軸方向に矯正される過程で減速される効果をいう。
【００４５】
その他の構成および作用効果は、第１の実施の形態におけると同様なので説明を省略する。
【００４６】
第６の実施の形態
図１２および図１３には、本願発明の第６の実施の形態にかかる空気調和機用室外機が示されている。
【００４７】
この場合、第４の実施の形態におけるベルマウス１０の水平面１０ｅの外径端部から吹出方向に円筒部１０ｃが一体に延設されている。つまり、ベルマウス１０における筒状部１０ｂの吹出側には、吹出側に向かって段階的に径が拡大する拡大円筒部１０ｇが一体に形成されている。また、ベルマウス１０において筒状部１０ｂと延設部１０ｄと水平面１０ｅとに囲まれた空洞部１４が形成されている。つまり、シュラウド鍔部８ａとベルマウス１０との間には、ベルマウス１０側を窪ませて形成された空洞部１４が設けられているのである。このようにすると、ベルマウス１０と鍔部８ａとの間の空洞部１４が、円板摩擦ファン作用を低減することにより、円板摩擦ファン動力を低減するとともに、逆流漏れ流れＥを加速する作用をも低減することとなる。従って、ファン動力の低減を図り得るとともに、逆流漏れ流れＥの流量の低減を図り得ることとなり、ファン効率の向上と風量アップによる比騒音レベルの低減とを図り得る。また、ベルマウス１０の吹出側に、吹出側に向かって段階的に径が拡大する拡大円筒部１０ｇが一体に形成されているので、吹出流れをより一層整流安定化させることができるとともに、ディフューザ効果も期待でき、ファン性能のより一層の改善を図ることができる。さらに、本実施の形態の場合、ベルマウス１０は、軸方向に２分割した金型を用いることにより、合成樹脂による一体成形が可能となり、ベルマウス１０の製造コストを低減できる。
【００４８】
その他の構成および作用効果は、第１の実施の形態におけると同様なので説明を省略する。
【００４９】
第７の実施の形態
図１４および図１５には、本願発明の第７の実施の形態にかかる空気調和機用室外機が示されている。
【００５０】
この場合、ベルマウス１０の構成は、第５の実施の形態におけると同様とされているが、熱交換器５，５，５の上板１３に対してベルマウス１０の延設部１０ｄが直接支持される構造となっている。つまり、ガイド部１２は、ベルマウス延設部１０ｄと上板１３とによって構成されているのである。なお、この場合、熱交換器５，５，５の上板１３は、円形開口でも矩形開口でもよい。このようにすると、吹出流れをより一層整流安定化させることができるとともに、ディフューザ効果も期待でき、ファン性能のより一層の改善を図ることができる。また、本実施の形態の場合、ベルマウス１０は、軸方向に２分割した金型を用いることにより、合成樹脂による一体成形が可能となり、ベルマウス１０の製造コストを低減できる。
【００５１】
その他の構成および作用効果は、第１の実施の形態におけると同様なので説明を省略する。
【００５２】
第８の実施の形態
図１６および図１７には、本願発明の第８の実施の形態にかかる空気調和機用室外機が示されている。
【００５３】
この場合、ベルマウス１０の構成は、第６の実施の形態におけると同様とされているが、熱交換器５，５，５の上板１３に対してベルマウス１０の延設部１０ｄが直接支持される構造となっている。つまり、ガイド部１２は、ベルマウス延設部１０ｄと上板１３とによって構成されているのである。また、ベルマウス１０において筒状部１０ｂと延設部１０ｄと水平面１０ｅとに囲まれた空洞部１４が形成されている。このようにすると、ベルマウス１０と鍔部８ａとの間の空洞部１４が、円板摩擦ファン作用を低減することにより、円形摩擦ファン動力を低減するとともに、逆流漏れ流れＥを加速する作用をも低減することとなる。従って、ファン動力の低減を図り得るとともに、逆流漏れ流れＥの流量の低減を図り得ることとなり、ファン効率の向上と風量アップによる比騒音レベルの低減とを図り得る。また、ベルマウス１０の吹出側に、吹出側に向かって段階的に径が拡大する拡大円筒部１０ｇが一体に形成されているので、吹出流れをより一層整流安定化させることができるとともに、ディフューザ効果も期待でき、ファン性能のより一層の改善を図ることができる。さらに、本実施の形態の場合、ベルマウス１０は、軸方向に２分割した金型を用いることにより、合成樹脂による一体成形が可能となり、ベルマウス１０の製造コストを低減できる。
【００５４】
その他の構成および作用効果は、第１の実施の形態におけると同様なので説明を省略する。
【００５５】
本願発明は、上記各実施の形態に限定されるものではなく、発明の要旨を逸脱しない範囲において適宜設計変更可能なことは勿論である。
【図面の簡単な説明】
【００５６】
【図１】本願発明の第１の実施の形態にかかる空気調和機用室外機の縦断面図である。
【図２】図１のＩＩ−ＩＩ断面図である。
【図３】本願発明の第１の実施の形態にかかる空気調和機用室外機の要部拡大断面図である。
【図４】本願発明の第２の実施の形態にかかる空気調和機用室外機の縦断面図である。
【図５】本願発明の第２の実施の形態にかかる空気調和機用室外機の要部拡大断面図である。
【図６】本願発明の第３の実施の形態にかかる空気調和機用室外機の縦断面図である。
【図７】本願発明の第３の実施の形態にかかる空気調和機用室外機の要部拡大断面図である。
【図８】本願発明の第４の実施の形態にかかる空気調和機用室外機の縦断面図である。
【図９】本願発明の第４の実施の形態にかかる空気調和機用室外機の要部拡大断面図である。
【図１０】本願発明の第５の実施の形態にかかる空気調和機用室外機の縦断面図である。
【図１１】本願発明の第５の実施の形態にかかる空気調和機用室外機の要部拡大断面図である。
【図１２】本願発明の第６の実施の形態にかかる空気調和機用室外機の縦断面図である。
【図１３】本願発明の第６の実施の形態にかかる空気調和機用室外機の要部拡大断面図である。
【図１４】本願発明の第７の実施の形態にかかる空気調和機用室外機の縦断面図である。
【図１５】本願発明の第７の実施の形態にかかる空気調和機用室外機の要部拡大断面図である。
【図１６】本願発明の第８の実施の形態にかかる空気調和機用室外機の縦断面図である。
【図１７】本願発明の第８の実施の形態にかかる空気調和機用室外機の要部拡大断面図である。
【符号の説明】
【００５７】
１は本体
１ａ，１ｂ，１ｃ，１ｄは側面
２は送風装置
３は軸流羽根車
７は羽根
８はシュラウド
８ａは鍔部
８ｂは本体部
１０はベルマウス
１０ａは平板部
１０ｂは筒状部
１０ｃは円筒部
１０ｄは延設部
１０ｅは水平面
１０ｆは円錐面
１０ｇは拡大円筒部
１２はガイド部
１４は空洞部
【図１】
2008232536.tif 000003
【図２】
2008232536.tif 000004
【図３】
2008232536.tif 000005
【図４】
2008232536.tif 000006
【図５】
2008232536.tif 000007
【図６】
2008232536.tif 000008
【図７】
2008232536.tif 000009
【図８】
2008232536.tif 000010
【図９】
2008232536.tif 000011
【図１０】
2008232536.tif 000012
【図１１】
2008232536.tif 000013
【図１２】
2008232536.tif 000014
【図１３】
2008232536.tif 000015
【図１４】
2008232536.tif 000016
【図１５】
2008232536.tif 000017
【図１６】
2008232536.tif 000018
【図１７】
2008232536.tif 000019